(57)【要約】      （修正有）【課題】簡単な装置構成で、自立型部品の温度を容易にかつ高精度に検出することができる回路基板を提供する。【解決手段】配線パターン５を備えた配線基板１と、前記配線基板上に実装された発熱部品２の温度を検知するための温度検知素子３と、前記配線パターン５上に搭載される発熱部品２とを具備し、前記配線パターンが前記発熱部品２の少なくとも一つのリード端子２ａから前記温度検知素子の近傍に熱を伝送する熱伝導部パターン４を構成する。【選択図】図１
2011009436.tif 000002
【特許請求の範囲】
【請求項１】
配線パターンを備えた配線基板と、
前記配線基板上に実装された温度検知素子と、
前記配線パターン上に搭載される発熱部品とを具備し、
前記配線パターンが前記発熱部品の少なくとも一つのリード端子から前記温度検知素子の近傍に熱を伝送する熱伝導部パターンを構成する回路基板。
【請求項２】
請求項１に記載の回路基板であって、
前記温度検知素子は前記配線パターン上に面実装された回路基板。
【請求項３】
請求項２に記載の回路基板であって、
前記熱伝導部パターンは、前記温度検知素子を囲むパターン配置を構成する回路基板。
【請求項４】
請求項１乃至３のいずれかに記載の回路基板であって、
前記熱伝導部パターンは、発熱部品を含む主回路と電気的に分離された配線パターンである回路基板。
【請求項５】
請求項１乃至４のいずれかに記載の回路基板であって、
前記熱伝導部パターンは、前記温度検知素子の実装面側と異なる面側に配置された配線パターンである回路基板。
【請求項６】
請求項１乃至５のいずれかに記載の回路基板であって、
前記熱伝導部パターンは、前記発熱部品のリード端子と前記温度検知素子とに直接接続される回路基板。
【請求項７】
請求項６記載の回路基板であって、
前記熱伝導部パターンはＧＮＤ電位に接続される回路基板。
【請求項８】
請求項１乃至７のいずれかに記載の回路基板であって、
前記発熱部品は、自立型半導体部品のリード端子であり、前記リード端子の挿通穴を囲むように熱伝導部パターンが形成された回路基板。
【請求項９】
請求項１乃至７のいずれかに記載の回路基板であって、
前記温度検知素子の出力に、フィルタ回路を介して接続された温度検出回路を具備した回路基板。
【請求項１０】
請求項１乃至９のいずれかに記載の回路基板であって、
前記温度検知素子はチップサーミスタである回路基板。
【請求項１１】
請求項１乃至１０のいずれかに記載の回路基板を用いた点灯回路と、前記点灯回路に接続された光源とを備えた放電灯点灯装置。
【発明の詳細な説明】
【技術分野】
【０００１】
本発明は、プリント基板などの回路基板上に実装された発熱部品の温度検知構造に関するものである。
【背景技術】
【０００２】
従来、発熱部品の温度を検知し過熱状態を検出する方法として、例えばリード型サーミスタやリード型温度プロテクタを使用する方法がある。その構造は、プリント配線板１０１上に形成された発熱する半導体部品１０２やトランス、チョーク類などに、テープやチューブなどを用いて温度検知素子１０３を発熱部品に取り付ける構造であり、その取り付けた素子で過熱温度を検知していた。（図２８（ａ）および（ｂ）参照）
【０００３】
また、発熱する自立型半導体部品に放熱板が取り付けてある構造の場合には、その放熱板２００に設けられた固定ネジ穴２０１を介して半導体素子１０２を取り付け、その半導体素子１０２の近傍に別の固定ネジ穴を介して温度検知素子１０３、例えばリード型サーミスタやリード型温度プロテクタを固定ネジによって固定し半導体部品の過熱温度を検知していた。（図２９参照）
【０００４】
上記の方法では、温度検知素子を取り付けるという工程が必要になり、製造工数が増え、またリード型サーミスタやリード型温度プロテクタはチップ温度素子に比べ高価である問題があり、例えば特許文献1に記載されているような半導体部品の過熱温度検知構造が提案されている。
【０００５】
この従来の温度検知素子取り付け構造は、過熱温度検知を必要とする半導体部品をプリント配線板上に面実装し、その近傍又は半導体部品が実装されたプリント配線板の裏面に温度検知素子チップサーミスタを取り付け、面実装半導体部品の銅ベースから配線パターンに伝導する熱を検知することで過熱温度検知を行い、製造工数を減らし、安価なチップサーミスタを使用できる構造にしていた。
【先行技術文献】
【特許文献】
【０００６】
【特許文献１】特開２００３−３４７４８６号公報
【０００７】
また、温度検知される部品が自立型半導体部品の場合は、自立型半導体部品を放熱板に固定ネジで取り付け、リード型サーミスタやリード型温度プロテクタよりも安価なチップサーミスタを使用し、チップサーミスタが実装されたチップサーミスタ専用のプリント配線板を自立半導体部品近傍に固定ネジで取り付ける構造とし、自立型半導体部品の熱を放熱板とサーミスタ基板を介してチップサーミスタに熱を伝え過熱温度を検知するという方法がとられていた。
したがって、リード型サーミスタを放熱板に取り付ける工数は変わらないが、リード型サーミスタよりも安価なチップサーミスタを使用できるという効果があった。
【発明の概要】
【発明が解決しようとする課題】
【０００８】
しかしながら、自立型の半導体部品やトランスなどの過熱温度を検知するためにはリード型温度検知素子を半導体素子やトランスにテープＴなどで巻きつける、あるいは、自立型半導体部品に放熱板が取り付けてある場合は、放熱板２００にリード型の温度検知素子または、チップサーミスタ基板を固定ネジで取り付けるという工程が必要になり、製造工程数が増えるという問題がある。
【０００９】
更に特許文献1では、過熱温度検知を必要とする半導体部品やトランス、チョーク類が面実装部品である必要があり、面実装部品以外では特許文献1の構造では所望の効果を得難いという問題もあった。
【００１０】
本発明は、前記実情に鑑みてなされたもので、簡単な装置構成で、自立型部品の温度を容易にかつ高精度に検出することができる回路基板を提供することを目的とする。
【課題を解決するための手段】
【００１１】
そこで本発明の回路基板は、配線パターンを備えた配線基板と、前記配線基板上に実装された温度検知素子と、前記配線パターン上に搭載される発熱部品とを具備し、前記配線パターンが前記発熱部品の少なくとも一つのリード端子から前記温度検知素子の近傍に熱を伝送する熱伝導部パターンを構成する。
この構成によれば、放熱板に温度検知素子や発熱部品と取り付けるのではなく、配線基板上に温度検知素子を直接実装し、発熱部品からこの温度検知素子の近傍に熱を伝送する熱伝導部パターンを配置する構成をとるため、実装が容易でかつ温度検知素子近傍迄熱伝導部パターンで、熱を伝送するため、熱的な損失を防ぎ、高精度に温度検出を行うことができる。
【００１２】
また本発明は、上記回路基板において、前記温度検知素子が前記配線パターン上に面実装されたものを含む。
この構成によれば、チップサーミスタなどの温度検知素子が配線パターン上に面実装されているため、熱接触性が良好で、高感度の温度検出が実現される。
【００１３】
また本発明は、上記回路基板において、前記熱伝導部パターンは、前記温度検知素子を囲むパターン配置を構成するものを含む。
この構成によれば、温度検知素子を囲むように熱伝導部パターンを配置しているため、より、高速で温度検出を行うことができる。
【００１４】
また本発明は、上記回路基板において、前記熱伝導部パターンは発熱部品を含む主回路と電気的に分離された配線パターンであるものを含む。
この構成によれば、メイン電流が流れない様に電気的に分離されているため、メイン電流を流れるスイッチング電流の大小にかかわらずノイズの影響を抑制しつつ、熱伝導部パターンを発熱部品に直接接続させることができ、温度検知素子までより効率よく熱伝送を実現することができる。従って高精度の温度検出が可能となり、温度検知素子の誤検知を防止することができる。
【００１５】
また本発明は、上記回路基板において、前記熱伝導部パターンは、前記温度検知素子の実装面側と異なる面側に配置された配線パターンであるものを含む。
この構成によれば、温度検知素子により近接した位置まで熱伝導部パターンを配置することができ、より効率よく温度検知素子まで熱伝送を実現することができる。また、配線パターンと異なる材料を用いてより熱伝導性の良好な熱伝導部パターンを形成することも可能である。
【００１６】
また本発明は、上記回路基板において、前記熱伝導部パターンは、前記発熱部品のリード端子と前記温度検知素子とに直接接続されるものを含む。
この構成によれば、発熱部品のリード端子と温度検知素子とが直接接続されるため、より高感度の温度検出が可能となる。
【００１７】
また本発明は、上記回路基板において、前記熱伝導部パターンはＧＮＤ電位に接続されるものを含む。
この構成によれば、発熱部品のリード端子と温度検知素子とを熱伝導部パターンを介して直接接続することで、電気的に接続されても、ＧＮＤ電位に接続しておくことで、ノイズの影響を小さくすることができ、より高感度の温度検出が可能となる。
【００１８】
また本発明は、上記回路基板において、前記発熱部品は、自立型半導体部品のリード端子であり、前記リード端子の挿通穴を囲むように熱伝導部パターンが形成されたものを含む。
この構成によれば、より効率よく熱伝送を行うことができる。
【００１９】
また本発明は、上記回路基板において、前記温度検知素子の出力に、フィルタ回路を介して接続された温度検出回路を具備したものを含む。
この構成によれば、ノイズによる誤動作を低減することができる。
【００２０】
また本発明は、上記回路基板において、前記温度検知素子はチップサーミスタであり、前記熱伝導部パターンは帯状導体であるものを含む。
この構成によれば、極めて安価で小型化を図ることができる。
【００２１】
また本発明の放電灯点灯装置は、上記回路基板を用いた点灯回路と、前記点灯回路に接続された光源とを備える。
この構成によれば、簡単な構成で高精度の過熱温度検出を得ることができ、信頼性の高い放電灯点灯装置を実現することができる。
【発明の効果】
【００２２】
以上説明してきたように本発明の回路基板によれば、放熱板に温度検知素子と発熱部品とを取り付けるのではなく、配線基板上に温度検知素子を直接実装し、発熱部品からこの温度検知素子の近傍に熱を伝送する熱伝導部パターンを配置する構成をとるため、実装が容易でかつ温度検知素子近傍迄熱伝導部パターンで、熱を伝送するため、熱的な損失を防ぎ、高精度に温度検出を行うことができる。
【図面の簡単な説明】
【００２３】
【図１】本発明の実施の形態１の回路基板を用いた回路モジュールの要部を示す図、（ａ）はこの回路モジュールの断面図、（ｂ）は上面図
【図２】本発明の実施の形態１の回路基板を用いた回路モジュールにおける、自立型半導体部品とチップサーミスタの温度の関係を示す図
【図３】本発明の実施の形態１の回路基板を用いた回路モジュールにおける、温度検知回路を示す図
【図４】本発明の実施の形態１の回路基板を用いた回路モジュールにおける、温度検知回路の変形例を示す図
【図５】本発明の実施の形態１の回路基板を用いた回路モジュールを用いた放電灯装置を示す図
【図６】本発明の実施の形態２の回路基板を用いた回路モジュールの要部を示す図、（ａ）はこの回路モジュールの断面図、（ｂ）は下面図
【図７】本発明の実施の形態３の回路基板を用いた回路モジュールの要部を示す図、（ａ）はこの回路モジュールの断面図、（ｂ）は下面図
【図８】本発明の実施の形態４の回路基板を用いた回路モジュールの要部を示す上面図
【図９】本発明の実施の形態５の回路基板を用いた回路モジュールの要部を示す上面図
【図１０】本発明の実施の形態６の回路基板を用いた回路モジュールの要部を示す図、（ａ）はこの回路モジュールの断面図、（ｂ）は上面図、（ｃ）は下面図
【図１１】本発明の実施の形態７の回路基板を用いた回路モジュールの要部を示す図、（ａ）はこの回路モジュールの断面図、（ｂ）は上面図、（ｃ）は下面図
【図１２】本発明の実施の形態８の回路基板を用いた回路モジュールの要部を示す図、（ａ）はこの回路モジュールの断面図、（ｂ）は下面図
【図１３】本発明の実施の形態９の回路基板を用いた回路モジュールの要部を示す図、（ａ）はこの回路モジュールの断面図、（ｂ）は下面図
【図１４】本発明の実施の形態１０の回路基板を用いた回路モジュールの要部を示す図、（ａ）はこの回路モジュールの断面図、（ｂ）は上面図
【図１５】本発明の実施の形態１１の回路基板を用いた回路モジュールの要部を示す図、（ａ）はこの回路モジュールの断面図、（ｂ）は下面図
【図１６】本発明の実施の形態１２の回路基板を用いた回路モジュールの要部を示す図、（ａ）はこの回路モジュールの断面図、（ｂ）は下面図
【図１７】本発明の実施の形態１３の回路基板を用いた回路モジュールの要部を示す上面図
【図１８】本発明の実施の形態１４の回路基板を用いた回路モジュールの要部を示す上面図
【図１９】本発明の実施の形態１５の回路基板を用いた回路モジュールの要部を示す上面図
【図２０】本発明の実施の形態１６の回路基板を用いた回路モジュールの要部を示す上面図
【図２１】本発明の実施の形態１７の回路基板を用いた回路モジュールの要部を示す上面図
【図２２】本発明の実施の形態１８の回路基板を用いた回路モジュールの要部を示す上面図
【図２３】本発明の実施の形態１９の回路基板を用いた回路モジュールを用いた放電灯装置を示す図
【図２４】本発明の実施の形態２０の回路基板を用いた回路モジュールを用いた放電灯装置を示す図
【図２５】本発明の実施の形態２１の回路基板を用いた回路モジュールを用いた放電灯装置を示す図
【図２６】本発明の実施の形態２２の回路基板を用いた回路モジュールを用いた放電灯装置を示す図
【図２７】従来例の温度検知構造を示す図、（ａ）は自立型半導体部品の場合、（ｂ）はチョークあるいはトランスの場合を示す図
【図２８】従来例の温度検知構造を示す図
【図２９】従来例の温度検知構造を示す図
【発明を実施するための形態】
【００２４】
（実施の形態１）
以下、本発明の第１の実施の形態について図面を用いて説明する。本実施の形態の回路基板を用いた回路モジュールは、放電灯点灯回路の温度検出に用いられるものであり、図１（ａ）および（ｂ）に示すように、配線パターンを備えた配線基板としてのプリント配線板１と、前記発熱部品の温度を検出するための温度検知素子としてのチップサーミスタ３と、この配線パターン上に搭載される発熱部品としてのトランジスタなどの自立型半導体部品２とを具備し、この配線パターンが自立型半導体部品２の少なくとも一つのリード端子からチップサーミスタ３の近傍に熱を伝送する熱伝導部パターンとしての導電パターン４を構成する。図１（ａ）はこの回路モジュールの要部を示す断面図、図１（ｂ）は上面図である。
すなわち、図１（ａ）および（ｂ）に示すように、プリント配線板１とプリント配線板１に自立型で実装されたトランジスタやダイオード等の自立型半導体部品２とプリント配線板１の上面（図１（ａ）に示す断面図における上面）に面実装されたチップサーミスタ３から構成され、プリント配線板１と自立型半導体部品２の銅ベースからなるリード２ａ（たとえばＦＥＴチップがダイボンド実装されているヒートスプレッダーのドレイン端子のリード）が銅箔から成る熱伝導部パターンを構成する導電パターン４と半田結合され、銅箔から成る配線パターンとしての導電パターン５は、チップサーミスタ３と半田結合される。ここでは、回路を構成する配線パターンと熱伝導部のパターンとは同一層である銅箔で構成されるため、同時に形成することができる。
【００２５】
導電パターン４は、自立型半導体部品２の銅ベースからなるリード２ａの熱をチップサーミスタ３に伝導するため、チップサーミスタ３の近傍に配線する。導電パターン５は、チップサーミスタ３が温度によって変化する電圧変動を検知するための配線である。導電パターン４と導電パターン５は同電位ではないので、図中では最低必要な絶縁距離を確保してチップサーミスタ３を配置している。
【００２６】
プリント配線板１に実装された自立型半導体部品２は、プリント配線板１の上面、下面を使って回路を構成する部品と接続されるが導電パターンは図から省略する。
【００２７】
自立型半導体部品２の温度が高くなると、銅ベースからなるリード端子２ａを伝って導電パターン４に熱が伝導される。その熱はプリント配線板1を伝ってチップサーミスタ３に伝導される。図２に自立型半導体部品２とチップサーミスタ３の温度の関係を示す。自立半導体部品２の温度カーブＳ１が上昇すると、チップサーミスタ３の温度も温度カーブＳ２のように上昇する。
【００２８】
例えば、自立半導体部品２の温度が１１０℃になった時の温度を検出するようにした場合、自立半導体部品２の温度が１１０℃のときチップサーミスタ３との温度差ΔＴ１を引いた温度Ｋ１℃を過熱検知温度としておけば、自立型半導体部品２の温度が１１０℃になったことを検知することができる。
【００２９】
上述のように自立型半導体部品２の温度が銅ベースのリード端子２ａに伝導される熱をプリント配線板１の導電パターン４を使ってチップサーミスタ３の近傍に設置することで、自立半導体部品２の温度を検知することができるので、温度検知部品を自立型半導体部品２にチューブなどで巻きつけるか、又はディスクリート半導体に放熱板が取り付けてある場合は、その放熱板に温度検知素子を固定ネジで取り付けるという工程が不必要になり製造コストを減らすことができる。
【００３０】
上述したように温度測定対象の発熱部品の近傍に温度検知素子としてチップサーミスタ３を設置し、温度検知を行うための温度検知回路を図３に示す。温度検知回路１６は、制御回路電源Ｅ２とチップサーミスタ３と抵抗Ｒ１と温度判別回路１７で構成され、温度判別回路１７は、コンパレータやマイクロコンピュータで構成される。チップサーミスタ３の温度が変化すると、抵抗Ｒ１とチップサーミスタ３の分圧電圧が変化する。その電圧変化を検知して温度検知対象部品の過熱温度を検知する。
【００３１】
このチップサーミスタ３の温度変化を電圧で検出する素子、例えばマイクロコンピュータやコンパレータがチップサーミスタ３よりプリント配線板上での配置が離れ、その検出する配線パターンが長くなる場合がある。配線パターンが長くなることで周囲のスイッチングノイズの影響を受けやすくなり温度判別回路１７が誤検出する場合がある。その対策として、図４のように温度判別回路１７近傍に高周波ノイズを除去するローパスフィルター１８を設置することでスイッチングノイズの影響による誤動作を防ぐことができる。さらに、チップサーミスタ設置側の近傍にローパスフィルター１９を設置することで、検出素子の近傍でスイッチングノイズの影響による誤動作を防ぐことができ、プリント配線板上の配置に関係なく、より精度のよい温度検知対象部品の過熱温度検出ができる。
【００３２】
（回路構成）
ところで、上記回路モジュールを備えた放電灯装置の回路図を図５に示す。この放電灯装置は直流電源Ｅ１（交流電源を整流して得た直流電源でも良い）と、スイッチング素子Ｑ１とダイオードＤ１とチョークコイルＬ１とコンデンサＣ１から成り直流電源Ｅ１からの出力を所望の電圧に降圧して出力する降圧チョッパ回路２０と、スイッチング素子Ｑ２〜Ｑ５から成り降圧チョッパ回路２０からの出力を所望の周波数の交流電圧に変換するインバータ回路２１と、スイッチング素子Ｑ１〜Ｑ５を制御する制御回路２２と、放電灯Ｌａを始動させるための高電圧を発生させる始動回路２３とから構成される。抵抗Ｒ９はスイッチング素子Ｑ１に流れる電流を検出するための電流検出抵抗である。なお、降圧チョッパ回路２０、インバータ回路２１、制御回路２２、始動回路２３は周知であるので、ここでは詳細な説明は省略する。
【００３３】
温度検知回路１６は、図４で説明した温度検知回路である。この温度検知回路１６が放電灯点灯装置の過熱し易い部品に装着される。
【００３４】
本発明を放電灯点灯装置に用いることで、何らかの異常により放電灯が破損し過剰な出力となってメイン回路の発熱部品が高温になった場合、温度判別回路１７の入力電圧が過熱温度電圧になった場合は、スイッチング素子Ｑ１を制御するＯＵＴ１の出力を停止し、放電灯装置の動作を停止させ、過熱温度になった部品の温度を下げる。
【００３５】
上記回路の場合、動作時に発熱する部品は、スイッチング素子Ｑ１〜Ｑ５、ダイオードＤ１、チョークコイルＬ１、抵抗Ｒ９であるので、これらの部品の近傍に温度検知素子を配置する。個々に温度検知素子を配置してもよいし、許容温度が同程度の部品に対しては、上記素子（部品）に配置した熱伝導部パターンの他端を同一の温度検知素子に導くようにしてもよい。また素子毎に温度検知素子を配するようにしてもよい。このようにして、自立型部品の過熱温度を検出し、点灯制御をおこなうことができる。
また、熱伝導部パターンとしては、回路を構成する配線パターン上にさらに熱伝導性の良好な膜を形成してもよい。
さらにまた、前記実施の形態では温度検知素子を面実装したが、面実装に限定されることなく、リード端子で実装してもよい。
【００３６】
（実施の形態２）
以下、本発明の実施の形態２について図面を用いて説明する。本実施の形態の回路モジュールは、図６（ａ）および（ｂ）に示すように、チップサーミスタ３をプリント配線板１の下面（図６の断面図における下面）に面実装された実装構造をもつものである。実施の形態1の回路モジュールとの違いは、プリント配線板１の配線パターンを構成する導電パターン５が片面に設けられており、温度を検知される自立型半導体部品２が導電パターン５の形成面に対向する裏面側に装着されている点である。図６（ａ）は断面図、図６（ｂ）は下面図である。ここで、温度検知素子としてのチップサーミスタ３の実装面と銅箔から成る熱伝導部を構成する導電パターン４がプリント配線板１の下面に配置された実装構造であり、チップサーミスタ３をプリント配線板１の下面に配置しても実施の形態１と同じ効果が得られ、片面基板においても温度検知が可能となるので、プリント配線板１を構成するプリント基板が安価になり、低コストでシステムを提案できる。
【００３７】
（実施の形態３）
以下、本発明の実施の形態３について図面を用いて説明する。本実施の形態の回路モジュールは、図７（ａ）および（ｂ）に示すように、チップサーミスタ３をプリント配線板１の下面（図７（ａ）に示す断面図における下面）に面実装された実装構造であり、実施の形態１、２との違いは、自立型半導体部品２の銅ベースからなるリード２ａ（ここではＦＥＴのドレインで説明）と半田接続された銅箔から成る導電パターン４がチップサーミスタ３を囲むように配線されていることである。
【００３８】
導電パターン４をチップサーミスタ３の回りを囲むように配線すれば、リード２ａから伝導される熱伝導率が上がり温度差ΔＴ１が小さくなる。なぜなら、銅はプリント配線板を構成する樹脂などと比べ、１０２〜１０３程度熱伝達率が高いためである。したがって、自立半導体部品２の温度にチップサーミスタ３の温度が近づき、自立型半導体部品２の温度を検知し易くすることができる。
【００３９】
また、チップサーミスタ３がプリント配線板の上面に配置された場合も同じように導電パターン４を配線すれば同じ効果が得られることは説明するまでもない。
【００４０】
(実施の形態４)
以下、本発明の実施の形態４について図面を用いて説明する。本実施の形態の回路モジュールは、図８に示すように、温度検知素子としてのチップサーミスタ３をプリント配線板１の上面に面実装された実装構造であり、この温度検知素子で温度検知される部品がトランス８など巻線部品の温度を検知する場合を示す図である。
【００４１】
導電パターン４は、巻線と接続されたトランス８の端子８ａとプリント配線板１に半田結合され、巻線で発生した熱を端子８ａから熱伝導部を構成する導電パターン４を介して、チップサーミスタ３に熱を伝導するように配線されている。図８はこの回路モジュールの上面図である。図８では、導電パターン4をチップサーミスタの回りを囲むように配線しており、端子８ａから伝導される熱伝導率が上がりトランス８の温度を検知し易くしている。
【００４２】
導電パターン５は、チップサーミスタ３が温度によって変化する電圧変動を検知するための配線である。導電パターン４と導電パターン５は同電位ではないので、最低必要な絶縁距離を確保してチップサーミスタ３を配置されている。
【００４３】
プリント配線板１に実装されたトランス８は、プリント配線板１の上面、下面を使って回路を構成する部品と接続されるが導電パターンは図から省略し、温度検知方法についても、温度検知される部品以外は実施の形態１と同様であるため説明を省略する。
【００４４】
トランス８の巻線温度を検出する端子は、大電流が流れるメイン巻線端子で検出することは説明するまでもない。
【００４５】
したがって、トランスなどチョーク類の過熱温度を検知する場合でも、温度検知素子をテープなどで巻きつけるという工程が不必要になり、製造コストの削減と安価なチップサーミスタが使用することができる。また、チップサーミスタ３がプリント配線板１の下面に配置された場合も同様に導電パターン４を配線すれば同じ効果が得られることは説明するまでもない。
【００４６】
(実施の形態５)
以下、本発明の実施の形態５について図面を用いて説明する。例えば本実施の形態５の回路モジュールは、図９で示すように、チップサーミスタ３をプリント配線板１の上面に面実装された実装構造であり、上記実施の形態１、２、３、４との違いは、温度検知される部品がリード型抵抗９の温度を検知している点と、サーミスタに熱を伝える熱伝導部としての導電パターン４を、破線で示すメイン電流が流れる経路から分岐して配置した点である。
【００４７】
熱伝導部を構成する導電パターン４は、リード型抵抗９のリード端子９ａとプリント配線板１に半田結合され、リード型抵抗９で発生した熱をリード端子９ａから導電パターン４を介して、チップサーミスタ３に熱を伝導するように配線する。更にチップサーミスタの回りを囲むように導電パターン４を配線すれば、端子８ａから伝導される熱伝導率が上がりリード型抵抗９の温度を検知し易くするこことができる。
【００４８】
導電パターン５は、チップサーミスタ３が温度によって変化する電圧変動を検知するための配線である。導電パターン４と導電パターン５は同電位ではないので、最低必要な絶縁距離を確保してチップサーミスタ３を配置する。
【００４９】
プリント配線板１に実装されたリード型抵抗９は、プリント配線板１の上面、下面を使って回路を構成する部品と接続されるが導電パターンは図から省略し、温度検知方法についても、温度検知される部品が変わっただけで実施例１と同じなので省略する。
【００５０】
したがって、リード型抵抗の過熱温度検知する場合、温度検知素子をテープなので巻きつけるという工程が不必要になり、製造コストの削減と安価なチップサーミスタが使用することができる。また、リード型抵抗が縦型実装構造の場合でも同じように温度検出でき、チップサーミスタ３にはメイン電流が流れる経路から分岐された導電パターンを近接配置することで、大電流が流れるメイン回路からの電磁界ノイズの影響を受けにくくし、誤動作を防止するという効果も奏する。また、チップサーミスタ３がプリント配線板の下面に配置された場合も同じように導電パターン４を配線すれば同じ効果が得られることは説明するまでもない。
【００５１】
（実施の形態６）
以下、本発明の実施の形態６について図面を用いて説明する。例えば本実施の形態の回路モジュールは、図１０（ａ）乃至（ｃ）に示すように、プリント配線板１とプリント配線板１に自立型で実装されたトランジスタやダイオード等の自立型半導体部品２とプリント配線板１の上面（図１０（ａ）の断面図における上面）に面実装されたチップサーミスタ3から成るプリント配線板1の実装構造である。図１０（ａ）はこの回路モジュールの断面図、図１０（ｂ）は上面図、図１０（ｃ）は下面図である。
この回路モジュールは、プリント配線板１と自立型半導体部品２の銅ベースからなるリード２ａ（ここではＦＥＴのドレインで説明）が銅箔から成るメイン電流用の導電パターン６と半田結合され、導電パターン７は自立型半導体部品２の銅ベースからなるリード２ａと半田接続する。実施の形態３、４、５、６との違いは、メイン電流用導電パターン６と分岐しチップサーミスタ３が実装されている裏面側（図１０（ａ）の断面図における下面）に熱伝達用の導電パターンを７配置することである。
【００５２】
プリント配線板１に実装された自立型半導体部品２は、プリント配線板１の上面、下面を使って回路を構成する部品と接続されるがその銅箔から成る導電パターンは図から省略する。
【００５３】
導電パターン５は、チップサーミスタ３が温度によって変化する電圧変動を検知するための配線である。導電パターン６、７と導電パターン５は同電位ではないので、最低必要な絶縁距離を確保してチップサーミスタ３を配置する。
【００５４】
上述のようにチップサーミスタ３の反対面側（図１０（ａ）の断面図における下面）に導電パターン７を配置することで、自立型半導体部品２の温度が高くなると、銅ベースからなるリード２ａを伝って導電パターン７の熱がチップサーミスタ３の下面から伝導されるので、実施の形態１で示した図２の温度カーブＳ２に近い温度カーブで上昇し、同じ効果を得ることができる。また、チップサーミスタ３の底面積より大きく配置することにより、より精度良く発熱部品の温度を検出することが可能となる。
【００５５】
したがって、チップサーミスタ３の近傍に熱を伝導する導電パターンの配線スペースが無い場合、チップサーミスタ３の下面に導電パターン７を配置することで、温度カーブＳ２のように自立型半導体部品２の温度が検知できるのでプリント配線板の設計が容易になり、且つメイン電流用の導電パターン６と分岐した導電パターン７の熱伝導で温度検出ができ、スイッチングノイズの影響によるチップサーミスタの誤検出も防ぐことが出来きる。また、図示しないが、前述のチップサーミスタ３下面の導電パターン７は、製造時の電気的検査（いわゆるインサーキットテスタ）のピンを接触させるパターンと兼用することも可能である。
【００５６】
（実施の形態７）
以下、本発明の実施の形態７について図面を用いて説明する。例えば本実施の形態の回路モジュールは、図１１（ａ）乃至（ｃ）に示すように、チップサーミスタ３をプリント配線板1の下面（図１１（ａ）の断面図における下面）に面実装された実装構造である。図１１（ａ）はこの回路モジュールの断面図、図１１（ｂ）は上面図、図１１（ｃ）は下面図である。
実施の形態６との違いは、チップサーミスタ３の実装面と自立型半導体部品２の銅ベースからなるリード２ａ（ここではＦＥＴのドレインで説明）の熱をチップサーミスタ３に熱を伝導する導電パターン７がプリント配線板１の上面（図１１（ａ）の断面図における上面）に配置された点以外は実施の形態６と同様であるため詳細な説明は省略する。
【００５７】
したがって、チップサーミスタ３をプリント配線板１の下面に配置しても実施の形態６と同じ効果が得られ、チップサーミスタ３の配置面がどちらでも温度検知が可能となるので、部品配置におけるプリント基板設計が容易になる。
【００５８】
（実施の形態８）
以下、本発明の実施の形態８について図面を用いて説明する。本実施の形態の回路モジュールは、図１２（ａ）および（ｂ）で示すように、温度検知される部品を自立型半導体部品２からトランス８に代えた以外は実施の形態６と同じであり、温度検知方法及び図の詳細な説明と効果は省略する。図１２（ａ）はこの回路モジュールの断面図、図１２（ｂ）は上面図である。
【００５９】
（実施の形態９）
以下、本発明の実施の形態９について図面を用いて説明する。本実施の形態の回路モジュールは、図１３（ａ）および（ｂ）で示すように、温度検知される部品をリード型抵抗（抵抗素子）９とした以外は実施の形態６と同じであり、温度検知方法及び図の詳細な説明と効果は省略する。図１３（ａ）はこの回路モジュールの断面図、図１３（ｂ）は上面図である。リード型抵抗９の一方の端子９ａを導電パターン７に接続しており、下面に面実装されたチップサーミスタ３に熱を伝導するものである。
【００６０】
また、チップサーミスタ３の配置面がプリント配線板の下面に面実装された場合も同じように、チップサーミスタ３に熱を伝導する導電パターン７をメイン電流パターンと分岐してチップサーミスタ３の裏面に配置すれば、チップサーミスタ３がプリント配線板の上面に面実装された場合と同じ効果を得られ、チップサーミスタ３の配置面がどちらでも温度検知が可能となるので、部品配置におけるプリント基板設計が容易になる。また、リード型抵抗９が縦型実装構造の場合でも同じように温度検出できることは説明するまでもない。縦型実装の場合、リード線が短い方のパターンの温度を検出するよう構成する方が検出する温度のΔＴが小さくなるので望ましい。
【００６１】
なお、上述で述べた実施の形態１〜９は自立型半導体部品２やトランス８などのチョーク類、リード型抵抗９などで説明したが、発熱部品の金属リードと接続する導電パターンを熱伝導用として使用すれば上述以外の部品であっても同じ効果を得られることは説明するまでもない。また、上述まで、最も発熱部品の熱伝達率が良い端子をもって説明してきたが、他の端子、例えばＦＥＴであればソース端子をもってしても同様の効果を得ることができる。
【００６２】
(実施の形態１０)
以下、本発明の実施の形態１０について図面を用いて説明する。例えば本実施の形態の回路モジュールは、図１４（ａ）および（ｂ）に示すように、プリント配線板１とプリント配線板１に自立型で実装されたトランジスタやダイオード等の自立型半導体部品２とプリント配線板１の上面（図１４（ａ）に示す断面図における上面）に面実装されたチップサーミスタ３から成るプリント配線板１の実装構造であって、プリント配線板１と自立型半導体部品２の銅ベースからなるリード２ａ（ここではＦＥＴのドレインで説明）が銅箔から成る導電パターン１０とチップサーミスタ３の片側電極と半田結合される。銅箔から成る導電パターン１１はチップサーミスタ３のもう１つの電極と半田結合される。実施の形態１との違いは、チップサーミスタ３が半導体部品２の銅ベースからなるリード２ａと半田結合された導電パターン１０と直接接続されていることである。導電パターン１１は、チップサーミスタ３が温度によって変化する電圧変動を検知するための配線である。
【００６３】
プリント配線板１に実装された自立型半導体部品２は、プリント配線板１の上面、下面を使って回路を構成する部品と接続されるがその銅箔から成る導電パターンは図から省略する。
【００６４】
自立型半導体部品２の温度が高くなると、銅ベースからなるリード２ａを伝って導電パターン１０に熱が伝導される。その熱は実施の形態１〜９のようにプリント配線板１を介さずに直接チップサーミスタ３に熱が伝導されるため、図２の温度カーブＳ３は、温度カーブＳ２より自立型半導体部品２に近い温度で上昇する。したがって△Ｔ１＞△Ｔ２となるので更に自立型半導体部品２の温度と近い温度を検知することができ、他の部品の温度影響を受けにくい設計となり実施の形態１〜９よりも温度検知の精度が上がる効果がある。
【００６５】
（実施の形態１１）
以下、本発明の実施の形態１１について図面を用いて説明する。例えば本実施の形態１１の回路モジュールは、図１５（ａ）および（ｂ）に示すように、チップサーミスタ３をプリント配線板１の下面（図１５（ａ）の断面図における下面）に面実装された実装構造をもつものである。本実施の形態１１の回路モジュールと実施の形態１０との違いは、チップサーミスタ３の実装面と銅箔から成る導電パターン１０がプリント配線板１の下面に配置された実装構造である点である。図１５（ａ）はこの回路モジュールの断面図、図１５（ｂ）は下面図である。
本実施の形態によれば、チップサーミスタ３をプリント配線板１の下面に配置しても実施の形態１０と同じ効果が得られ、片面基板においても温度検知が可能となるので、プリント配線板が安価になり、低コストでシステムを提案できる。
【００６６】
（実施の形態１２）
以下、本発明の実施の形態１２について図面を用いて説明する。例えば本実施の形態の回路モジュールは、図１６（ａ）および（ｂ）に示すように、プリント配線板１とプリント配線板１に自立型で実装されたトランジスタやダイオード等の自立型半導体部品２とプリント配線板１の下面（図１６の断面図における下面）に面実装されたチップサーミスタ３から成るプリント配線板１の実装構造をもつものである。図１６（ａ）はこの回路モジュールの断面図、図１６（ｂ）は下面図である。
プリント配線板1と自立半導体部品２の銅ベースからなるリード２ａ（ここではＦＥＴのドレインで説明）が銅箔から成る導電パターン１０とチップサーミスタ３の片側電極と半田結合される。銅箔から成る導電パターン１１はチップサーミスタ３のもう1つの電極と半田結合される。実施の形態１０、１１との違いは、チップサーミスタ３が半導体部品２の銅ベースからなるリード２ａと半田結合された導電パターン１０がチップサーミスタ３の回りを囲むように配線されていることである。導電パターン１１は、チップサーミスタ３が温度によって変化する電圧変動を検知するための配線であり、図３の温度検知回路に接続される。
【００６７】
導電パターン１０をチップサーミスタ３の回りを囲むように配線すれば、リード２ａから伝導される熱伝導率が上がり温度差ΔＴ２が小さくなる。したがって、自立半導体部品２の温度にチップサーミスタ３の温度が近づき、実施の形態１０、１１よりも自立半導体部品２の温度を検知し易くすることができる。
【００６８】
また、チップサーミスタ３がプリント配線板の上面に配置された場合も同じように導電パターン１０を配線すれば同じ効果が得られることは説明するまでもない。
【００６９】
（実施の形態１３）
以下、本発明の実施の形態１３について図面を用いて説明する。本実施の形態の回路モジュールは、図１７に上面図を示すように、チップサーミスタ３をプリント配線板１の上面に面実装された実装構造であり、チップサーミスタ３がトランス８の巻線と接続された端子８ａと半田結合された導電パターン１０と直接接続され、導電パターン１０をチップサーミスタ３の回りを囲むように配線し、端子８ａから伝導される熱伝導率が上がりトランス８の温度を検知し易くしている。温度検知される部品とチップサーミスタ３の配置面以外は実施の形態１２と同様であり温度検知方法及び詳細な説明と効果は省略する。ここで実線は熱伝導を示し、破線はメイン電流を示す。
【００７０】
また、チップサーミスタ３がプリント配線板の下面に配置された場合も同じように伝導パターン１０を配線することで同じ効果が得られることは説明するまでもない。
【００７１】
（実施の形態１４）
以下、本発明の第１４の実施の形態について図面を用いて説明する。本実施の形態の回路モジュールは、図１８に上面図を示すように、チップサーミスタ３をプリント配線板１の上面に面実装された実装構造であり、チップサーミスタ３がリード型抵抗９のリード端子９ａと半田結合された導電パターン１０と直接接続され、導電パターン１０をチップサーミスタ３の回りを囲むように配線し、リード端子９ａから伝導される熱伝導率が上がりリード型抵抗９の温度を検知し易くしている。温度検知される部品とチップサーミスタ３の配置面以外は実施の形態１２と同じであり温度検知方法及び図の詳細な説明と効果は省略する。ここで実線は熱伝導を示し、破線はメイン電流を示す。
【００７２】
また、チップサーミスタ３がプリント配線板の下面に配置された場合も同じように伝導パターン１０を配線すれば同じ効果が得られ、リード型抵抗９が縦型実装構造の場合でも同じように温度検出できることは説明するまでもない。
【００７３】
（実施の形態１５）
以下、本発明の実施の形態１５について図面を用いて説明する。例えば本実施の形態の回路モジュールは、図１９に示すように、プリント配線板１とプリント配線板１に自立型で実装されたトランジスタやダイオード等の自立型半導体部品２とプリント配線板１の上面に面実装されたチップサーミスタ３から成るプリント配線板１の実装構造である。実施の形態１２、１３、１４との違いは、自立半導体部品２の銅ベースからなるリード端子２ａ（ここではＦＥＴのドレインで説明）が銅箔から成るメイン電流用の導電パターン１２と半田結合され、導電パターン１３は、メイン電流用の導電パターン１２と分岐してチップサーミスタ３の片側電極と半田結合され接続されていることである。図１９では導電パターン１３をチップサーミスタ３の回りを囲むように配線しており、リード端子２ａから伝導される熱伝導率が更に上がり自立型半導体部品２の温度を検知し易くしている。導電パターン１１は、チップサーミスタ３が温度によって変化する電圧変動を検知するための配線である。
【００７４】
チップサーミスタ３に熱伝導する導電パターンを分岐した以外は実施の形態１２、１３、１４と同様であるため温度検知方法及び図の詳細な説明は省略する。
【００７５】
したがって、チップサーミスタ３と自立型半導体部品２の熱を伝達する導電パターン１３は、メイン電流用の導電パターン１２と分岐しているので、メイン電流パターンのスイッチング電流の大小に関わらずノイズの影響を小さくでき、チップサーミスタの誤検出を防ぐことが可能となる。
【００７６】
また、チップサーミスタ３の配置面がプリント配線板１の下面に面実装された場合も同じように、チップサーミスタ３に熱を伝導する熱伝導部としての導電パターン１３をチップサーミスタ３に分岐して直接接続すれば、チップサーミスタ３がプリント配線板１の上面に面実装された場合と同じ効果を得られ、チップサーミスタ３の配置面がどちらでも温度検知が可能となるので、部品配置におけるプリント基板設計が容易になる。先に説明した実施の形態６の回路モジュールでは、プリント配線板１の上面／下面でメイン電流の流れる導電パターン１２と温度検出用の導電パターン１３とを分岐していたが、本実施の形態のように同一面、基板下面（上面）でメイン電流の流れる導電パターン１２と分岐して設けられた温度検出用の導電パターン１３により、基板上面（下面）に実装されたチップサーミスタに温度を伝える構成をとることも可能である。
【００７７】
（実施の形態１６）
以下、本発明の実施の形態１６について図面を参照しつつ用いて説明する。本実施の形態１６は、図２０に示すように、温度検知される部品としてトランス８を用いる場合であり、トランス８の巻線の両端に設けられたメイン電流の流れる導電パターン１２と分岐して設けられた温度検出用の導電パターン１３で、基板上面（下面）に実装されたチップサーミスタ３に温度を伝える構成をとることも可能である。以外は実施の形態１５と同様であり、温度検知方法及び図の詳細な説明と効果は省略する。
【００７８】
（実施の形態１７）
以下、本発明の実施の形態１７について図面を参照しつつ用いて説明する。本実施の形態１７は、図２１に示すように、温度検知される部品としてリード型抵抗９を用いる場合であり、リード型抵抗９の両端子に設けられたメイン電流の流れる導電パターン１２と分岐して設けられた温度検出用の導電パターン１３で、基板上面（下面）に実装されたチップサーミスタ３に温度を伝える構成をとっている。以外は実施の形態１５と同様であり、温度検知方法及び図の詳細な説明と効果は省略する。
【００７９】
また、チップサーミスタ３の配置面がプリント配線板の下面に面実装された場合も同じように、チップサーミスタ３に熱を伝導する導電パターン７をメイン電流パターンと分岐し、チップサーミスタ３に直接接続すれば、チップサーミスタ３がプリント配線板１の上面に面実装された場合と同じ効果を得られ、チップサーミスタ３の配置面がどちらでも温度検知が可能となるので、部品配置におけるプリント基板設計が容易になる。また、リード型抵抗９が縦型実装構造の場合でも同じように温度検出できることは説明するまでもない。
【００８０】
（実施の形態１８）
以下、本発明の実施の形態１８について図面を用いて説明する。例えば本実施の形態の回路モジュールは、図２２に示すように、チップサーミスタ３をプリント配線板１の上面に面実装された実装構造であり、リード型抵抗９のリード端子９ａと半田結合されたメイン電流用の導電ＧＮＤパターン１４と半田接続され、導電ＧＮＤパターン１４と分岐した導電ＧＮＤパターン１５とチップサーミスタ３が直接接合されている。導電ＧＮＤパターン１５は、チップサーミスタ３を囲むように配置し、リード型抵抗９のリード端子９ａから伝導される熱伝導率を上げている。導電パターン１１は、チップサーミスタ３が温度によって変化する電圧変動を検知するための配線である。実施の形態１５、１６、１７との違いは、チップサーミスタ３と直接接続する導電パターンがＧＮＤ電位であることである。チップサーミスタ３を安定したＧＮＤ電位で接地することで、メイン電流パターンのスイッチング電流の大小に関わらずノイズの影響を小さくすることができ、実施の形態１５、１６、１７よりもチップサーミスタの誤検出を更に防ぐことが可能となる。
【００８１】
また、実施の形態１乃至１７で述べた、チップサーミスタ３に熱を伝導する導電パターンが、ＧＮＤ電位であれば上記で述べた効果があることは説明するまでもない。本実施の形態では説明の都合上、銅ベースのリード端子やパターンで３方向を囲むといった例で説明してきたが、前記実施の形態に限定されることなく、異常時発熱する実装部品のパターン近傍にチップサーミスタなどの温度検知素子を用いて異常温度上昇を検出するものに適用可能である。
【００８２】
なお、上述した実施の形態１０乃至１８は、自立型半導体部品２やトランス８などのチョーク類、リード型抵抗９などで説明したが、発熱部品の金属リードなどのリード端子とチップサーミスタ３などの温度検知素子を直接接続できる導電パターンがあれば上述以外の部品にも適用可能であることはいうまでもない。また、発熱部品の金属リードとチップサーミスタ３とが直接接続されている、あるいは間接的に熱伝達されている（基板を介して）場合も同様の効果を奏することは言うまでもない。
【００８３】
（実施の形態１９）
また、回路構成についても、前記実施の形態１で示したものに限定されることなく、適宜変更可能である。
例えば、図５に示した前記実施の形態１の回路モジュールを用いた放電灯点灯装置にローパスフィルター１８、１９を追加してもよい。この回路図を図２３に示す。温度検知回路動作については上記で述べたので説明を省略する。
この構成によれば前記実施の形態１の回路モジュールを用いた放電灯点灯装置に加え、ノイズの低減を図ることができる。たとえば回路モジュールが高周波回路である場合には、熱伝導部を構成する配線パターンを信号線に沿って配置し、ＧＮＤ導電パターンとすることで、更なるノイズの低減を図ることができる。
この構成は前記実施の形態１乃至１８の回路モジュールのいずれにも適用可能である。
【００８４】
（実施の形態２０）
また、放電灯点灯装置の他の回路構成を図２４に示す。この放電灯点灯装置の回路は、図２４のインバータ回路２１を除いて、降圧チョッパ回路２０から出力を直接始動回路２３に印加するものである。この回路の場合には、スイッチング素子Ｑ１とダイオードＤ１とチョークコイルＬ１、抵抗Ｒ９が発熱する部品に当たり、これらの部品を上記実施の形態１〜１８の実装構造及び温度検出回路を用いることで、自立型部品の過熱温度を検出することができる。
【００８５】
また、図２５の温度検知回路１６にローパスフィルター１８、１９を追加した回路図を図２６に示す。図２４に示した温度検知回路にローパスフィルター１８、１９が追加された内容であり詳細な説明と効果は上記に述べたので省略する。ここでは、回路の簡易化のためローパスフィルター１８はコンデンサのみで記載されている。
【００８６】
（実施の形態２１）
また、放電灯装置の他の回路構成を図２６に示す。この放電灯点灯装置は、上述で説明した放電灯回路の前段に、交流電源ＡＣから入力された交流電源を直流電源に変換する直流電源回路２５を備えるようにしてもよい。ここでは直流電源回路２５が放電灯回路２４に接続される。放電灯回路２４はこの直流電源回路２５の出力を電源として放電灯Ｌａを点灯させる構成となり、図５、２３、２４、２５で述べた放電灯回路と接続される。
【００８７】
直流電源回路２５は、交流電源ＡＣから入力された交流電流を全波整流するダイオードブリッジＤＢ１とスイッチング素子Ｑ６と抵抗Ｒ９（ここでは、図５、２３、２４、２５以降の先に説明した抵抗Ｒ９も含め前述のリード型抵抗９と同一部品をさす）とチョークコイルＬ２とダイオードＤ２とコンデンサＣ２で構成された昇圧チョッパ回路である。スイッチング素子Ｑ２が制御回路２６によりオンオフ駆動され、コンデンサＣ２の電圧がある一定の直流電圧値になるように出力される。また制御回路２６は直流電源回路２５と接続された放電灯回路も制御するが、上記で説明しているので省略する。なお、直流電源回路２５は周知であるので、ここでは詳細な説明は省略する。
【００８８】
温度検知回路１６は、実施の形態１９で述べた温度検知回路である。ローパスフィルター１８、１９を追加した回路を使用した場合は、上記で説明しているので説明を省略する。図中では抵抗Ｒ９近傍にチップサーミスタ３を接続し異常温度上昇を検出している。温度判別回路１７の入力電圧が過熱温度電圧になった場合は、放電灯回路２４内、すなわち上記で説明した降圧チョッパ回路２０のスイッチング素子Ｑ１を制御するＯＵＴ１の出力を停止し、放電灯装置の動作を停止させることが可能であり、また、直流電源回路２５のスイッチング素子Ｑ６を制御するＯＵＴ２の出力を停止し昇圧動作を停止させ、過熱温度になった部品の温度を下げることもできる。
【００８９】
直流電源回路２５が動作時に発熱する部品は、スイッチング素子Ｑ６、ダイオードＤ２、チョークコイルＬ２、抵抗Ｒ９、ダイオードブリッジＤＢ２であるので、これらの部品を上記実施の形態１〜１９の実装構造及び温度検出回路を用いた回路モジュールを用いることで、自立型部品の過熱温度を検出することもできる。
【００９０】
（実施の形態２２）
また、放電灯装置の他の回路構成を図２７に示す。この放電灯装置は、放電灯Ｌａに交流電力を供給して点灯させるものであり、交流電源ＡＣから入力された交流電力を直流電力に変換する直流電源回路２５と放電灯Ｌａとともに共振回路を構成し直流電源回路２５を電源として放電灯Ｌａに交流電力を供給するインバータ回路２７とを備える。
【００９１】
直流電源回路２５は上記で述べたので説明を省略する。インバータ回路２７はコンデンサＣ２の両端間に接続された２個のスイッチング素子Ｑ７、Ｑ８と、ローサイドのスイッチング素子Ｑ８の両端間に放電灯Ｌａに直列に接続された共振用のインダクタＬ３と、放電灯Ｌａの両端間に接続された予熱兼共振用のコンデンサＣ４を備える。またスイッチング素子Ｑ７、８の接続点と共振用のインダクタＬ３との間には、直流カット用のコンデンサＣ３が接続されている。制御回路２８は、スイッチング素子Ｑ６をオンオフ駆動し、コンデンサＣ２の電圧がある一定の直流電圧値になるように制御し、スイッチング素子Ｑ７、８は交互にオンオフ駆動し、そのオンオフの周波数とインダクタＬ３、コンデンサＣ４並びに放電灯Ｌａが構成する共振回路の共振周波数との関係に応じた交流電力が放電灯Ｌａに供給されるように制御される。直流電源回路２５、インバータ回路２７は周知であるので、ここでは詳細な説明は省略する。
【００９２】
度検知回路１６は、実施の形態１９で述べた温度検知回路である。ローパスフィルター１８、１９を追加した回路を使用した場合は、上記で説明しているので省略する。温度判別回路１７の入力電圧が過熱温度電圧になった場合は、例えばインバータ回路２７内のスイッチング素子Ｑ７を制御するＯＵＴ３の出力を停止、またはスイッチング素子Ｑ８を制御するＯＵＴ４を停止することで、放電灯装置の動作を停止させることも可能であり、また、直流電源回２５のスイッチング素Ｑ６を制御するＯＵＴ２の出力を停止し昇圧動作を停止させ、過熱温度になった部品の温度を下げることができる。
【００９３】
図２７の放電灯回路の場合、動作時に発熱する部品は、スイッチング素子Ｑ６、Ｑ７、Ｑ８ダイオードＤ２、チョークコイルＬ２、Ｌ３、抵抗Ｒ９、ダイオードブリッジＤＢ２であるので、これらの部品を上記実施の形態１〜１９の実装構造及び温度検出回路を用いた回路モジュールを用いることで、自立型部品の過熱温度を検出することができる。
【符号の説明】
【００９４】
１  プリント配線板
２  自立型半導体部品
２ａ  リード端子
３  温度検知素子（チップサーミスタ）
４  熱伝導部パターン（導電パターン）
５  配線パターン（導電パターン）
１１  （電圧変動を検知するための）導電パターン
１２  （メイン電流用）導電パターン
１３  （熱伝導用）導電パターン
１６  温度検知回路
１７  温度判別回路
１８、１９  ローパスフィルター
２４  放電灯回路
２５  直流電源回路
【図１】
2011009436.tif 000003
【図２】
2011009436.tif 000004
【図３】
2011009436.tif 000005
【図４】
2011009436.tif 000006
【図５】
2011009436.tif 000007
【図６】
2011009436.tif 000008
【図７】
2011009436.tif 000009
【図８】
2011009436.tif 000010
【図９】
2011009436.tif 000011
【図１０】
2011009436.tif 000012
【図１１】
2011009436.tif 000013
【図１２】
2011009436.tif 000014
【図１３】
2011009436.tif 000015
【図１４】
2011009436.tif 000016
【図１５】
2011009436.tif 000017
【図１６】
2011009436.tif 000018
【図１７】
2011009436.tif 000019
【図１８】
2011009436.tif 000020
【図１９】
2011009436.tif 000021
【図２０】
2011009436.tif 000022
【図２１】
2011009436.tif 000023
【図２２】
2011009436.tif 000024
【図２３】
2011009436.tif 000025
【図２４】
2011009436.tif 000026
【図２５】
2011009436.tif 000027
【図２６】
2011009436.tif 000028
【図２７】
2011009436.tif 000029
【図２８】
2011009436.tif 000030
【図２９】
2011009436.tif 000031